(57)【要約】【課題】ＵＳＢコネクタがプロテクトされていることを外観から容易にわかり、無理やりＵＳＢコネクタを使用しようとすると、余計な作業が発生して使用を断念させることができる、新しい発想のＵＳＢプロテクタを提供すること【解決手段】  以下の要件を備えることを特徴とするＵＳＢプロテクタＡ。（イ）上記ＵＳＢプロテクタＡは、ＵＳＢコネクタ１０に挿入する挿入部１と、ＵＳＢコネクタ１０の前面を遮蔽する遮蔽部２とで構成されていること（ロ）上記挿入部１には引き方向に脆弱な脆弱部５を設け、挿入後の引き抜き操作時には挿入部１と遮蔽部２とは分離し、挿入部１はＵＳＢコネクタ１０内部に残留すること【選択図】図２
2011082087.tif 000002
【特許請求の範囲】
【請求項１】
以下の要件を備えることを特徴とするＵＳＢプロテクタ。
（イ）上記ＵＳＢプロテクタは、ＵＳＢコネクタに挿入する挿入部と、ＵＳＢコネクタの前面を遮蔽する遮蔽部とで構成されていること
（ロ）上記挿入部には引き方向に脆弱な脆弱部を設け、挿入後の引き抜き操作時には挿入部と遮蔽部とは分離し、挿入部はＵＳＢコネクタ内部に残留すること
【請求項２】
前記脆弱部は前記遮蔽部に近傍の挿入部の一方の面から他方の面に、他方の面から一方の上面にそれぞれ設けた切り込みで構成した、請求項１記載のＵＳＢプロテクタ。
【発明の詳細な説明】
【技術分野】
【０００１】
本発明は、パソコンのＵＳＢコネクタを無闇に使用できないようにプロテクトする、ＵＳＢプロテクタに関するものである。
【背景技術】
【０００２】
従来、パソコンのＵＳＢコネクタにプリンタや外部記憶装置など様々な機器を取り付けられるようになっており、このＵＳＢコネクタを使用して情報を容易に取り出すことができるため、ＵＳＢコネクタを無闇に使用できないような方法が提案されている。（例えば、特許文献１）。この方法は、硬質の非導電性材料からなる厚肉板状体に形成された接続防止部材を、ＵＳＢコネクタに全体が埋没するまで挿入して、新たにＵＳＢプラグを挿入できないようにしたものである。
【先行技術文献】
【特許文献】
【０００３】
【特許文献１】特開２００７−６６６７８号公報
【発明の概要】
【発明が解決しようとする課題】
【０００４】
本発明が解決しようとする問題点は、上述の方法は、ＵＳＢコネクタの内部に接続防止部材を埋没するまで挿入したもので、一見して接続を防止しているか否かが判らず、ＵＳＢプラグを差し込むまでは判らせることができない問題があった。
【０００５】
本発明は、上記問題点を解決し、ＵＳＢコネクタがプロテクトされていることを外観から容易にわかり、無理やりＵＳＢコネクタを使用しようとすると、余計な作業が発生して使用を断念させることができる、新しい発想のＵＳＢプロテクタを提供することを課題とする。
【課題を解決するための手段】
【０００６】
前記課題を解決するために本発明に係るＵＳＢプロテクタは、以下の要件を備えることを特徴とする。
（イ）上記ＵＳＢプロテクタは、ＵＳＢコネクタに挿入する挿入部と、ＵＳＢコネクタの前面を遮蔽する遮蔽部とで構成されていること
（ロ）上記挿入部には引き方向に脆弱な脆弱部を設け、挿入後の引き抜き操作時には挿入部と遮蔽部とは分離し、挿入部はＵＳＢコネクタ内部に残留すること
【０００７】
なお、前記脆弱部は前記遮蔽部に近傍の挿入部の一方の面から他方の面に、他方の面から一方の上面にそれぞれ設けた切り込みで構成することが好ましい。
【発明の効果】
【０００８】
請求項１の発明によれば、遮蔽部がＵＳＢコネクタの開口部を覆っているので一見して管理者がＵＳＢコネクタの無断使用を図っていることが判り、不正使用を断念させることができるとともに、無理やりＵＳＢコネクタを使おうとしてＵＳＢプロテクタを引き抜こうとすると、挿入部と遮蔽部とが分離し、挿入部がＵＳＢコネクタ内に残留するので不正使用を確実に断念させることができるＵＳＢプロテクタを提供することができる。
【０００９】
請求項２の発明によれば、脆弱部を切り込みで形成したので、ＵＳＢコネクタに挿入する際は分離することなく、引き抜き操作時には確実に挿入部と遮蔽部とを分離させることができる。
【図面の簡単な説明】
【００１０】
【図１】本発明に係るＵＳＢプロテクタを説明する斜視図
【図２】上記ＵＳＢプロテクタとＵＳＢコネクタとの関係を説明する斜視図
【図３】（ａ）〜（ｃ）は上記ＵＳＢプロテクタの分離状態を説明する側面図
【発明を実施するための形態】
【００１１】
図１において符号Ａは、本発明に係るＵＳＢプロテクタの一例を示し、このＵＳＢプロテクタＡはパソコンなどの情報機器ＢのＵＳＢコネクタ１０に差し込んでＵＳＢコネクタが無闇に使用できないようにするものである。このＵＳＢコネクタにはＡタイプ、Ｂタイプ、ミニタイプなどがあり、代表的なＡタイプに対応したＵＳＢプロテクタについて説明する。
【００１２】
このＵＳＢコネクタ１０は、図２に示すように、前面が開口した金属製の略箱状に形成された筐体１１内に複数の接続金属端子１２の配置された絶縁性板状体１３が周囲から離間した状態で配置され、左右の側壁１１ａと底板１１ｂとにはそれぞれ差し込んだＵＳＢプラグに係合してＵＳＢプラグが簡単に抜けないように係止する抑えバネ１４、１５が筐体内にそれぞれ突出して形成されている。
【００１３】
ＵＳＢプロテクタＡは、ＵＳＢコネクタ１０の絶縁性板状体１３と底板１１ｂとの間に挿入する挿入部１と、ＵＳＢコネクタ１０の前面を遮蔽する遮蔽部２とで構成され、この挿入部１と遮蔽部２とは絶縁性と弾性を有する樹脂（例えば、シリコンゴム）で形成されていればよい。
【００１４】
上記挿入部１は、上記ＵＳＢコネクタの絶縁性板状体１３と側壁１１ｂとの間に差し込める厚さと、筐体１１の両側壁１１ａの内側に差し込める幅とで略板状に形成され、ＵＳＢコネクタ１０に差し込んだときには、挿入部１は抑えバネ１５で下から絶縁性板状体１３に押し付けられ、抑えバネ１４で左右から挟まれて、一端ＵＳＢコネクタに差し込んだＵＳＢプロテクタＡは簡単に抜けないようになっている。
【００１５】
そして、遮蔽部２は、筐体１１の前面を覆う大きさに形成され、差し込んだときには遮蔽部は筐体の前面を覆い隠し、内部にゴミや塵が入らないようになっている。
【００１６】
なお、挿入部１と遮蔽部２との連結部分は引き離し方向に対し脆弱な脆弱部５が設けてある。この脆弱部５は、図３（ａ）に示すように、遮蔽部２の近傍の挿入部１の上面から下面に、下面から上面にそれぞれ形成された第１のスリット６と第２のスリット７とで構成され、図３（ｂ）に示すように、挿入部１を保持した状態で遮蔽部２を引き離すと第１のスリット６、第２のスリット７はＶ字状に広がり、さらに遮蔽部２を引き離すと、図３（ｃ）に示すように、挿入部１と遮蔽部２は分離するようになっている。
【００１７】
この脆弱部５は、挿入部１をＵＳＢコネクタ１０に差し込んだ際、抑えバネ１４、１５で係止される力よりも小さい力で分離するように切り込みの深さ、切り込みの間隔が設定されていればよい。
【００１８】
上述したように、ＵＳＢプロテクタＡは挿入部１と遮蔽部２とで構成され、挿入部１の遮蔽部２の近傍には脆弱部５が形成されているので、使用しないＵＳＢコネクタ１０にＵＳＢプロテクタＡを差し込んだときには、遮蔽部２がＵＳＢコネクタ１０の前面を遮蔽し、内部にゴミや塵が入らないようにするとともに、このＵＳＢコネクタ１０は使用できないことを一目で判るようにしているので、不正使用とする人間に対し防御していることを明確に知らせることができる。
【００１９】
しかも、無理やり使用しようとしてＵＳＢプロテクタＡを引き抜こうとすると、脆弱部５が機能して挿入部１がＵＳＢコネクタ１０の内部に残留し、これを除去しないとＵＳＢコネクタ１０を使用することはできないので、不正使用者に対し未使用のＵＳＢコネクタ１０を使って情報を盗もうとする意図を断念させることができる。
【００２０】
なお、上述した実施形態では、本発明のＵＳＢプロテクタをＡタイプのＵＳＢコネクタに適用した場合について説明したが、ＢタイプやミニタイプのＵＳＢコネクタに適用することは勿論である。
【符号の説明】
【００２１】
１    挿入部
２    遮蔽部
５    脆弱部
６    第１の切り込み
７    第２の切り込み
１０    ＵＳＢコネクタ
Ａ    ＵＳＢプロテクタ
【図１】
2011082087.tif 000003
【図２】
2011082087.tif 000004
【図３】
2011082087.tif 000005